(57)【要約】【課題】小型、薄型化ができるとともに、容易に高機能化・高付加価値化が可能な携帯情報機器を提供することを目的とする。【解決手段】投射型入力表示デバイス４０、投射型ディスプレイ表示デバイス５０と投射型入力表示デバイス４０で投射され第１の情報が表示される入力表示エリアに出現する障害物を検出する入力決定デバイス６０を有する第１の筐体１０と、第１の筐体１０と開閉可能に接続される第２の筐体２０とを備え、投射型入力表示デバイス４０により投射される第１の情報を表示する入力表示エリアと投射型ディスプレイ表示デバイス５０で投射された第２の情報を表示するディスプレイ表示エリアを、第１の筐体１０と第２の筐体２０との開閉角度により任意の位置に設定できる構成を有するものである。【選択図】図１
2006295779.tif 000002
【特許請求の範囲】
【請求項１】
投射型入力表示デバイス、投射型ディスプレイ表示デバイスと前記投射型入力表示デバイスで投射され第１の情報が表示される入力表示エリアに出現する障害物を検出する入力決定デバイスを有する第１の筐体と、
前記第１の筐体と開閉可能に接続される第２の筐体とを備え、
前記投射型入力表示デバイスにより投射された前記第１の情報を表示する前記入力表示エリアと前記投射型ディスプレイ表示デバイスで投射された第２の情報を表示するディスプレイ表示エリアを、前記第１の筐体と前記第２の筐体との開閉角度により任意の位置に設定できることを特徴とする携帯情報機器。
【請求項２】
前記第２の筐体が、少なくとも前記入力表示エリアまたはディスプレイ表示エリアを有することを特徴とする請求項１に記載の携帯情報機器。
【請求項３】
前記投射型入力表示デバイスにより前記入力表示エリアに表示される前記第１の情報が、仮想キーボードであることを特徴とする請求項１または請求項２に記載の携帯情報機器。
【請求項４】
前記第１の筐体が複数個に分割され、前記第２の筐体との開閉角度を、それぞれが独立に設定できることを特徴とする請求項１から請求項３のいずれか一項に記載の携帯情報機器。
【請求項５】
前記投射型入力表示デバイス、前記投射型ディスプレイ表示デバイスと前記入力決定デバイスが少なくとも複数の前記第１の筐体のいずれかに搭載されていることを特徴とする請求項４に記載の携帯情報機器。
【請求項６】
前記第１の筐体と前記第２の筐体との開閉できる開閉角度が３６０°未満であり、前記開閉角度が１８０°を超えた場合に、前記第１の情報および前記第２の情報が反転して表示されることを特徴とする請求項１から請求項５のいずれか一項に記載の携帯情報機器。
【請求項７】
前記第１の筐体が、前記第２の筐体に対して、２軸回転機構を備えることを特徴とする請求項１から請求項６のいずれか一項に記載の携帯情報機器。
【請求項８】
前記投射型ディスプレイ表示デバイスで投射されて表示するディスプレイ表示エリアが複数であることを特徴とする請求項１から請求項７のいずれか一項に記載の携帯情報機器。
【請求項９】
前記投射型入力表示デバイスと前記投射型ディスプレイ表示デバイスの光源が、レーザーまたはＬＥＤであることを特徴とする請求項１から請求項８のいずれか一項に記載の携帯情報機器。
【請求項１０】
前記投射型入力表示デバイスと前記投射型ディスプレイ表示デバイスの投射機構が、前記光源の光を直接走査することにより投射されることを特徴とする請求項９に記載の携帯情報機器。
【請求項１１】
前記入力決定デバイスは、前記障害物の動きにより、前記入力表示エリアの範囲内において表示される前記仮想キーボードによる入力と仮想的２次元入力の２つの入力モードを有し、前記入力モードの切り替えにより、前記入力モードに応じて前記障害物の動きを認識することを特徴とする請求項１から請求項１０のいずれか一項に記載の携帯情報機器。
【請求項１２】
前記入力決定デバイスが前記障害物の動きを一定期間認識しない場合、前記光源の出力を停止させることを特徴とする請求項１から請求項１１のいずれか一項に記載の携帯情報機器。
【請求項１３】
前記投射型ディスプレイ表示デバイスで前記ディスプレイ表示エリアに表示される第２の情報が、設定によりワイヤーフレーム表示または高精細フル画面表示とを切り替えて表示できることを特徴とする請求項１から請求項１２のいずれか一項に記載の携帯情報機器。
【請求項１４】
前記第２の筐体の表面が、反射ビーズ入りマットを有することを特徴とする請求項２に記載の携帯情報機器。
【請求項１５】
前記入力表示エリアまたはディスプレイ表示エリアが、前記第１の筐体または前記第２の筐体以外の位置に設定された場合、前記携帯情報機器の振動を検知し、前記振動による前記第１の情報または前記第２の情報のぶれを防止することを特徴とする請求項１から請求項１４のいずれか一項に記載の携帯情報機器。
【請求項１６】
前記第１の筐体または前記第２の筐体に、補助表示装置を有することを特徴とする請求項１から請求項１５のいずれか一項に記載の携帯情報機器。
【請求項１７】
前記補助表示装置が、液晶ディスプレイまたは有機ＥＬディスプレイであることを特徴とする請求項１６に記載の携帯情報機器。
【請求項１８】
前記補助表示装置に受信情報を表示するとともに、発信が可能であることを特徴とする請求項１６または請求項１７に記載の携帯情報機器。
【請求項１９】
少なくとも前記第１の筐体または前記第２の筐体に、音声入力装置または音声出力装置を備えたことを特徴とする請求項１から請求項１８のいずれか一項に記載の携帯情報機器。
【発明の詳細な説明】
【技術分野】
【０００１】
本発明は、携帯電話機やノートブックパソコンなどの仮想入力装置を備えた携帯情報機器に関する。
【背景技術】
【０００２】
近年、携帯情報機器においては、手軽に持ち運びができるために小型、薄型が重要な要件となっており、携帯電話機やノートブック型のパーソナルコンピュータ等においては、筐体を折り畳んで小さくし携帯性を高める構成が一般的となってきている。
【０００３】
特に、携帯電話機は、基本機能である通話機能だけでなく、多機能化、高性能化などの進展に目ざましいものがある。例えば、インターネットとの接続、無線ＬＡＮ機能、音楽情報、映像情報などのダウンロードのための大容量ハードディスクの内蔵、位置情報の把握、カメラや動画の記録機能などのように、高機能化や付加機能の追加が必須となっている。
【０００４】
一方、デザイン面やユーザビリティ面の観点から、携帯電話機などの筐体自体には、小型・軽量・薄型化が強く求められている。しかし、図１４に示すように従来の携帯情報機器では、情報を見やすくする表示する、例えば第１の筐体６００と同程度の大きさを有する液晶ディスプレイ６１０や情報を入力する第２の筐体６２０と同程度の大きさを有するキーボード６３０などが、携帯情報機器の必須構成要件であり、小型、薄型化を実現するには限界があった。
【０００５】
つまり、携帯情報機器の機能を向上させながら、小型化するという矛盾を解決することが大きな課題となっている。
【０００６】
現状では、個々の部品を小型化、高密度化をはかることにより対応しているが、それらによっても、小型化には限界がある。
【０００７】
そこで、携帯情報機器自体を小型化するために、キーボードなどの入力手段をバーチャル化したものが提案されている（例えば、特許文献１および特許文献２参照）。
【０００８】
これは、１〜９、＊、０、＃などのキーを備えた携帯電話機のキーボードや、Ａ〜Ｚおよび１〜０の範囲をカバーする英数字を備えたノートパソコンやＰＤＡなどの携帯情報端末用のキーボードなどをバーチャル化したものである。これにより、バーチャル化したキーボードを、机などの面に映し出し、映し出されたキーボードの所定のキーの位置に指をおくことにより、どのキーに指がおかれたかを判断し入力されるものである。
【特許文献１】特開２０００−３０５７０６号公報
【特許文献２】特開２００４−５００６５７号公報
【発明の開示】
【発明が解決しようとする課題】
【０００９】
しかしながら、上記携帯情報機器では、個々の部品を小型化することにも限界があり、無理な小型化・高密度化・狭ピッチ化や部品の詰め込みなどにより、かえって使い勝手が悪くなるといった製品そのものの信頼性の低下を招き、さらなる高機能化を達成しようとするとかえって品質の低下による弊害が発生する。
【００１０】
また、特許文献１または特許文献２に示されている携帯情報機器では、表示手段として液晶ディスプレイなどの大型の表示装置を内蔵させる必要があり薄型化には限界がある。さらに、表示領域が表示装置の大きさにより左右されるので、見やすくするために表示装置を大きくすることと小型化とは常に逆行する関係にある。
【００１１】
一方、従来の表示装置では、表示領域が制限されるため、見にくい。さらに、表示装置とキーボードの位置関係が固定されるため、会議などにおいて情報の共有化がはかれないなどの課題があった。
【００１２】
本発明は、以上のような従来の課題を解決し、小型、薄型化ができるとともに、新たな課題を発生させることなしに容易に高機能化・高付加価値化が可能な携帯情報機器を提供することを目的とする。
【課題を解決するための手段】
【００１３】
上述したような課題を解決するために、本発明の携帯情報機器は、投射型入力表示デバイス、投射型ディスプレイ表示デバイスと投射型入力表示デバイスで投射され第１の情報が表示される入力表示エリアに出現する障害物を検出する入力決定デバイスを有する第１の筐体と、第１の筐体と開閉可能に接続された第２の筐体とを備え、投射型入力表示デバイスにより投射される第１の情報を表示する入力表示エリアと投射型ディスプレイ表示デバイスで投射された第２の情報を表示するディスプレイ表示エリアを、第１の筐体と第２の筐体との開閉角度により任意の位置に設定できる構成を有する。
【００１４】
この構成により、液晶などの表示デバイスや押圧式キーボードなどの入力デバイスをなくすことができるとともに、なくした部分に付加機能を追加できるため、小型化、薄型化または高機能化した携帯情報機器を実現できる。
【００１５】
さらに、第２の筐体が、少なくとも入力表示エリアまたはディスプレイ表示エリアを有してもよい。
【００１６】
さらに、投射型入力表示デバイスにより入力表示エリアに表示される第１の情報が、仮想キーボードであってもよい。
【００１７】
さらに、第１の筐体が複数個に分割され、第２の筐体との開閉角度を、それぞれが独立に設定できる構成でもよい。
【００１８】
さらに、投射型入力表示デバイス、投射型ディスプレイ表示デバイスと入力決定デバイスが少なくとも複数の第１の筐体のいずれかに搭載されていてもよい。
【００１９】
さらに、第１の筐体と第２の筐体との開閉できる開閉角度が３６０°未満であり、開閉角度が１８０°を超えた場合に、第１の情報および第２の情報が反転して表示されてもよい。
【００２０】
さらに、第１の筐体が、第２の筐体に対して、２軸回転機構を備えてもよい。
【００２１】
さらに、投射型ディスプレイ表示デバイスで投射されて表示するディスプレイ表示エリアが複数であってもよい。
【００２２】
これらの構成により、任意の位置または場所に表示することができる携帯情報機器を実現できる。
【００２３】
さらに、投射型入力表示デバイスと投射型ディスプレイ表示デバイスの光源が、レーザーまたはＬＥＤでもよい。
【００２４】
さらに、投射型入力表示デバイスと投射型ディスプレイ表示デバイスの投射機構が、光源の光を直接走査することにより投射されてもよい。
【００２５】
これらにより、投射機構のさらなる小型化ができる。
【００２６】
さらに、入力決定デバイスは、障害物の動きにより、入力表示エリアの範囲内において表示される仮想キーボードによる入力と仮想的２次元入力の２つの入力モードを有し、入力モードの切り替えにより、入力モードに応じて障害物の動きを認識してもよい。
【００２７】
これにより、キーボード入力のような仮想キーボードだけでなく、任意文字や任意の図表などの仮想的２次元入力を実現できる。
【００２８】
さらに、入力決定デバイスが障害物の動きを一定期間認識しない場合、光源の出力を停止させてもよい。
【００２９】
これにより、電力消費を低減し携帯性に優れた携帯情報機器を実現できる。
【００３０】
さらに、投射型ディスプレイ表示デバイスでディスプレイ表示エリアに表示された第２の情報が、設定によりワイヤーフレーム表示または高精細フル画面表示とを切り替えて表示してもよい。
【００３１】
さらに、第２の筐体の表面が、反射ビーズ入りマットを有してもよい。
【００３２】
さらに、入力表示エリアまたはディスプレイ表示エリアが、第１の筐体または第２の筐体以外の位置に設定された場合、携帯情報機器の振動を検知し、振動による第１の情報または第２の情報のぶれを防止してもよい。
【００３３】
これらにより、表示する情報の視認性やセキュリティ機能が向上するとともに、入力の間違いを低減できる。
【００３４】
さらに、第１の筐体または第２の筐体に、補助表示装置を有してもよい。
【００３５】
さらに、補助表示装置が、液晶ディスプレイまたは有機ＥＬディスプレイであってもよい。
【００３６】
さらに、補助表示装置に受信情報を表示してもよい。
【００３７】
さらに、少なくとも第１の筐体または第２の筐体に、音声入力装置または音声出力装置を備えてもよい。
【００３８】
これらの構成により、現状の携帯電話機の機能を備えることもできる。
【発明の効果】
【００３９】
本発明の携帯情報機器によれば、大型で大きな空間を占有している入力デバイスや表示デバイスをなくすことにより小型化、薄型化できるとともに、なくした部分に付加機能を追加できるため、高機能化した携帯情報機器を実現できる。
【発明を実施するための最良の形態】
【００４０】
以下、図面を参照しながら、本発明の実施の形態について説明する。
【００４１】
（実施の形態１）
以下に、図１と図２を用いて、本発明の実施の形態１における携帯情報機器について説明する。
【００４２】
図１（ａ）は、本発明の実施の形態１における携帯情報機器の一例として開閉できる折り畳み式の携帯電話機の閉じた状態の斜視図であり、図１（ｂ）は、同図（ａ）の開いた状態の斜視図である。図２は、本発明の実施の形態１における携帯情報機器を説明する斜視図である。
【００４３】
図１（ａ）において、携帯情報機器は、第１の筐体１０と第２の筐体２０とがヒンジ部３０を介して開閉可能に連結されている。そして、図１（ｂ）に示すように、第１の筐体１０には、投射型入力表示デバイス４０、投射型ディスプレイ表示デバイス５０および入力決定デバイス６０を備えている。また、第２の筐体２０は、図２（ａ）に示すように、投射型入力表示デバイス４０によって映し出される第１情報を表示する入力表示エリア７０と投射型ディスプレイ表示デバイス５０によって映し出される第２の情報を表示するディスプレイ表示エリア８０を備えている。ここで、入力表示エリア７０に表示される第１の情報は、例えば、１〜９、＊、０、＃などのキーやＡ〜Ｚおよび１〜０の範囲をカバーする英数字を備えた仮想キーボードである。また、ディスプレイ表示エリア８０に表示される第２の情報は、例えば仮想キーボードで打ち込まれた文字データや記号あるいは携帯情報機器に記憶されている画像データなどである。
【００４４】
そして、上記第１の筐体１０と第２の筐体２０とが所定の開閉角度で開けられた場合、例えば６０°〜１２０°、好ましくは９０°に開けられたときに、第１の情報や第２の情報が第２の筐体２０の入力表示エリア７０とディスプレイ表示エリア８０に表示されるものである。さらに、携帯電話機として用いる場合、例えば開閉角度が１２０°〜１８０°の所定の開閉角度で開けられたときには、入力表示エリア７０とディスプレイ表示エリア８０の表示を停止してもよい。
【００４５】
これにより、電力消費を低減できるため、携帯性を向上させることができる。
【００４６】
ここで、投射型入力表示デバイス４０、投射型ディスプレイ表示デバイス５０は、光源として、例えばＲＧＢの発光波長を有するレーザーやＬＥＤなどで構成されている。液晶パネルを介した投射型ディスプレイ表示デバイスとは異なり、光源の光を、例えばＭＥＭＳ（Ｍｉｃｒｏ  Ｅｌｅｃｔｒｏ−Ｍｅｃｈａｎｉｃａｌ  Ｓｙｓｔｅｍ）などで作製されるＤＭＤ（Ｄｉｇｉｔａｌ  Ｍｉｃｒｏｍｉｒｒｏｒ  Ｄｅｖｉｃｅ：米国テキサス・インスツルメンツ社登録商標）などの走査装置によって、走査することにより、直接、入力表示エリア７０やディスプレイ表示エリア８０に第１の情報や第２の情報を映し出すものである。
【００４７】
また、図２（ｂ）に示すように、入力決定デバイス６０は、投射型入力表示デバイス４０によって入力表示エリア７０に表示された所定位置の、例えば１〜９、＊、０、＃などの仮想キーボードに、例えば指などの障害物９０が配置されたときに、その障害物９０を検出して仮想キーの入力を決定するものである。ここで、入力決定デバイス６０は、例えば赤外線発光素子からの赤外線を障害物９０に照射（図中、実線で示す）し、その反射光をフォトダイオードやフォトトランジスタなどの検出素子などで検出するものである。検出方法としては、例えば、仮想キーボードの位置による赤外線の反射光（図中、点線で示す）の強度差や時間差により検出することができる。上記説明では、入力決定デバイス６０が１つの場合で示したが、入力決定デバイス６０が複数であってもよい。これにより、障害物９０の検出精度を向上させることができる。
【００４８】
さらに、入力決定デバイス６０で検出される障害物９０の動きが、所定時間、例えば１０秒間検出されないときには、入力表示エリア７０やディスプレイ表示エリア８０の表示を停止し、再度、障害物９０の動きを検出した場合に表示を再開してもよい。これにより、電力消費を抑え、長時間の使用を可能とできる。
【００４９】
また、第２の筐体２０の少なくとも入力表示エリア７０やディスプレイ表示エリア８０に、反射ビーズ入りのマットを設けてもよい。これにより、視認性を確保するとともに、他方向からの覗き見を防止し、表示情報のセキュリティ機能を向上させることができる。同様に、第２の筐体２０のディスプレイ表示エリア８０に、例えばフォトポリマーや偏向板などの貼り付けによりホログラム表示などの３次元的な映像を表示することもできる。
【００５０】
また、入力決定デバイス６０は、障害物の動きにより、入力表示エリア７０の範囲内において認識される仮想キーボードによる入力と仮想的２次元入力の２つの入力モードを有し、入力モードの切り替えにより、入力モードに応じて障害物の動きを認識して入力することもできる。
【００５１】
つまり、上記実施の形態１では、入力表示エリア７０に表示される第１の情報を、例えばキーボードのような仮想キーボードを表示し、仮想キーボードの仮想キーの位置近傍を障害物９０で指示することで仮想キーの入力を認識する入力モードを例に説明したが、これに限られない。すなわち、入力モードを切り替えることにより、入力表示エリア７０に表示される第１の情報を、例えば碁盤の目のようなマトリックス状の表示とし、その入力表示エリア７０内で動く障害物９０の動きを仮想的２次元入力として認識し、手書きの文字データや図表データなどの入力として用いることもできる。この場合、第１の情報は入力表示エリアを示す枠だけでも、各交点を点で表示するものでもよい。これにより、さらに利便性を向上できるものである。
【００５２】
なお、入力モードの切り替えは、入力表示エリア７０内に入力モードの切り替えキーを表示し、それを障害物９０で指示しても、また第１の筐体または第２の筐体に入力モードの切り替えスイッチなどにより行うことができる。
【００５３】
また、入力表示エリア７０に表示される第１の情報やディスプレイ表示エリア８０に表示される第２の情報が、例えば携帯情報機器に設けられたスイッチなどにより、ワイヤーフレーム表示と高精細フル画面表示を切り替えて表示してもよい。これにより、表示される画像のデータ量を、用途に応じて変換して表示できるとともに、高速に表示させたい場合や電力消費を低減したい場合などにその効果が大きいものである。
【００５４】
以上述べたように、本発明の実施の形態１によれば、従来の液晶ディスプレイなどの大型の表示デバイスや押圧式キーボードなどの入力デバイスが必要でなくなる。そのため、繰り返しによる押圧式キーボードの破損などの生じない信頼性の高い、小型で薄型の携帯情報機器が実現できる。また、従来の液晶ディスプレイなどの表示デバイスや押圧式キーボードなどの占有していた空間に、別の付加機能を有する回路素子やデバイスを搭載できるため、大きさを変えることなく高機能化や高性能化を実現することができる。
【００５５】
なお、実施の形態１では、特に説明しなかったが、例えば携帯電話機の場合には、マイクなどの音声入力装置およびスピーカなどの音声出力装置を備えていることはいうまでもない。さらに、着信があった場合に着信を知らせるＬＥＤ素子や受信情報を表示する、例えば小型の液晶ディスプレイや有機ＥＬディスプレイなどの補助表示装置を備えてもよい。
【００５６】
（実施の形態２）
以下に、図３を用いて、本発明の実施の形態２の携帯情報機器について説明する。なお、図３において、図１と同じ構成要素には同じ符号を付し説明を省略する。
【００５７】
図３は、本発明の実施の形態２における携帯情報機器を説明する斜視図である。
【００５８】
図３において、携帯情報機器は、第１の筐体１０と第２の筐体２０とがヒンジ部３０を介して開閉可能に連結され、第１の筐体１０には、投射型入力表示デバイス４０、投射型ディスプレイ表示デバイス５０および入力決定デバイス６０を備えている。そして、例えば第１の筐体１０と第２の筐体２０が１８０°開けられた状態において、投射型入力表示デバイス４０によって映し出される第１情報を表示する入力表示エリア１００と投射型ディスプレイ表示デバイス５０によって映し出される第２の情報を表示するディスプレイ表示エリア１１０が、例えば机などに表示されるものである。この場合、机などの上に、例えば反射ビーズ入りのマットを設けて、入力表示エリア１００やディスプレイ表示エリア１１０を映し出せば、視認性の確保や他方向からの覗き見を防止しセキュリティ機能の向上ができるため好ましいものである。
【００５９】
なお、実施の形態２の入力表示エリア１００には、１〜９、＊、０、＃キーなどの仮想キーボードを示しているが、これに限定されない。例えば、Ａ〜Ｚおよび１〜０の範囲をカバーする英数字を備えた仮想キーボードであってもよいことはいうまでもない。
【００６０】
また、図３では、第１の筐体１０と第２の筐体２０との開閉角度が１８０°を例に説明したが、第２の筐体２０以外の場所に表示できる開閉角度であれば、特に制限されない。さらに、第２の筐体２０に、少なくとも入力表示エリア１００またはディスプレイ表示エリア１１０を設定してもよい。
【００６１】
また、図３に示すように、携帯情報機器を、特に立てて使用する場合には、例えば第２筐体２０に転倒を防止するための開閉可能な支持部材６５を設けてもよい。これにより、安定した状態で携帯情報機器を使用することができる。なお、支持部材６５は、図３に示すものに限らず、例えば第２筐体２０の底部に回転可能な支持部材を設け、第２の筐体２０と直交する方向に支持部材を回転させて、携帯情報機器の前後の動きを規制し転倒を防止する構成としてもよい。
【００６２】
この構成より、入力表示エリア１００やディスプレイ表示エリア１１０の表示面積が制限されないため、例えば障害物で仮想キーボードを押す場合の押し間違いなどを未然に防止できる。さらに、ディスプレイ表示エリア１１０を大きくできるため、会議などにおける情報の共有化に優れた効果を発揮できる。
【００６３】
また、第１の筐体１０または第２の筐体２０のいずれかに、例えば速度や加速度などで検出する振動センサなどを設け、振動センサによって検知された振動を打ち消すようにし、投射型入力表示デバイス４０や投射型ディスプレイ表示デバイス５０の出力（例えば、表示位置など）を制御してもよい。これにより、入力表示エリア１００やディスプレイ表示エリア１１０に映し出される情報などの映像をぶれなく表示することができる。そのため、使用者の利便性を向上させた携帯情報機器を実現できる。
【００６４】
また、例えば、第１の筐体１０を第２の筐体２０に対して１８０°以上の開閉角度になった場合には、投射型入力表示デバイス４０によって映し出される第１情報と投射型ディスプレイ表示デバイス５０によって映し出される第２の情報を反転させて表示してもよい。これにより、表示される情報が開閉角度に依存せずに正確に映し出すことができる。
【００６５】
（実施の形態３）
以下に、図４を用いて、本発明の実施の形態３の携帯情報機器について説明する。なお、図４において、図３と同じ構成要素には同じ符号を付し説明を省略する。
【００６６】
図４は、本発明の実施の形態３における携帯情報機器を説明する斜視図である。
【００６７】
図４において、携帯情報機器は、第１の筐体１０と第２の筐体２０とがヒンジ部３０を介して開閉可能に連結され、第１の筐体１０には、投射型入力表示デバイス４０、投射型ディスプレイ表示デバイス５０および入力決定デバイス６０を備えている。そして、例えば第１の筐体１０と第２の筐体２０が１８０°開けられた状態において、投射型入力表示デバイス４０によって映し出される第１情報を表示する入力表示エリア１００と投射型ディスプレイ表示デバイス５０によって映し出される第２の情報を表示する複数の表示エリアを有するディスプレイ表示エリア１２０が、例えば机などに表示されるものである。
【００６８】
なお、実施の形態３の入力表示エリア１００には、１〜９、＊、０、＃キーなどの仮想キーボードを示しているが、これに限定されない。例えば、Ａ〜Ｚおよび１〜０の範囲をカバーする英数字を備えた仮想キーボードであってもよいことはいうまでもない。
【００６９】
ここで、実施の形態３と実施の形態２とは、ディスプレイ表示エリア１２０が複数である点で異なるものである。
【００７０】
この構成より、複数のディスプレイ表示エリア１２０の一方を入力表示エリア１００で入力された情報を表示させ、別のディスプレイ表示エリア１２０に別の情報を表示させていることにより、例えば編集作業などの作業効率を向上させることができる。
【００７１】
（実施の形態４）
以下に、図５を用いて、本発明の実施の形態４の携帯情報機器について説明する。なお、図５において、図３と同じ構成要素には同じ符号を付し説明を省略する。
【００７２】
図５は、本発明の実施の形態４における携帯情報機器を説明する斜視図である。
【００７３】
図５において、実施の形態４の携帯情報機器は、第１の筐体１３０と第２の筐体１４０とがヒンジ部１５０を介して開閉可能に連結されるとともに、第１の筐体１３０がヒンジ部１５０の長手方向に対して直交する方向（図中に矢印で示す）に回転可能に連結された２軸回転機構１６０を備えた構成からなる点で実施の形態２とは異なるものである。
【００７４】
この構成により、投射型入力表示デバイス４０によって映し出される第１情報を表示する入力表示エリア１００と投射型ディスプレイ表示デバイス５０によって映し出される第２の情報を表示するディスプレイ表示エリア１１０を任意の方向に設定し、表示することができる。
【００７５】
（実施の形態５）
以下に、図６と図７を用いて、本発明の実施の形態５における携帯情報機器について説明する。
【００７６】
図６（ａ）は、本発明の実施の形態５における携帯情報機器の一例として開閉できる折り畳み式の携帯電話機の閉じた状態の斜視図であり、図６（ｂ）は、同図（ａ）の開いた状態の斜視図である。図７は、本発明の実施の形態５における携帯情報機器を説明する斜視図である。
【００７７】
図６（ａ）において、携帯情報機器は、独立して開閉角度を自由に設定可能な筐体Ａ（２０２）と筐体Ｂ（２０４）からなる第１の筐体２１０と第２の筐体２２０とがヒンジ部２３０を介して開閉可能に連結されている。そして、図６（ｂ）に示すように、第１の筐体２１０の筐体Ａ（２０２）には投射型入力表示デバイス２４０と入力決定デバイス２６０を備え、筐体Ｂ２０４には投射型ディスプレイ表示デバイス２５０を備えている。また、第２の筐体２２０は、図７（ａ）に示すように、筐体Ａ（２０２）の投射型入力表示デバイス２４０によって映し出される第１情報を表示する入力表示エリア２７０と、筐体Ｂ（２０４）の投射型ディスプレイ表示デバイス２５０によって映し出される第２の情報を表示するディスプレイ表示エリア２８０を備えている。ここで、入力表示エリア２７０に表示される第１の情報は、例えば、１〜９、＊、０、＃キーやＡ〜Ｚおよび１〜０の範囲をカバーする英数字を備えた仮想キーボードである。また、ディスプレイ表示エリアに表示される第２の情報は、例えば仮想キーボードで打ち込まれた文字データや記号あるいは携帯情報機器に記憶されている画像データなどである。
【００７８】
そして、上記第１の筐体２１０の筐体Ａ（２０２）および筐体Ｂ（２０４）と第２の筐体２２０とをそれぞれ独立に所定の開閉角度で開けることができる。例えば、筐体Ａ（２０２）を９０°で開け、筐体Ｂ（２０４）を７５°に開けたときに、第１の情報や第２の情報が第２の筐体２２０の入力表示エリア２７０とディスプレイ表示エリア２８０に表示できるものである。これにより、入力表示エリア２７０やディスプレイ表示エリア２８０の面積を、筐体Ａ（２０２）と筐体Ｂ（２０４）の開閉角度を自由に変えることにより独立に調節できる。さらに、投射型入力表示デバイス２４０や投射型ディスプレイ表示デバイス２５０から入力表示エリア２７０やディスプレイ表示エリア２８０に入射する光の角度の差による投射される映像のぼけなどを少なくすることができる。
【００７９】
さらに、携帯電話機として用いる場合、少なくとも音声出力装置が設けられた筐体Ａ（２０２）または筐体Ｂ（２０４）のいずれかを、例えば開閉角度が１２０°〜１８０°の所定の開閉角度に開けられたときには、入力表示エリア２７０とディスプレイ表示エリア２８０の表示を停止してもよい。この場合、音声出力装置のない筐体は閉じたままでもよい。これにより、電力消費を低減できるため、携帯性を向上させることができる。
【００８０】
なお、投射型入力表示デバイス２４０、投射型ディスプレイ表示デバイス２５０は、光源として、例えばＲＧＢの発光波長を有するレーザーやＬＥＤなどで構成されている。そして、液晶パネルを介した投射型ディスプレイ表示デバイスではなく、光源の光を、例えばＭＥＭＳ（Ｍｉｃｒｏ  Ｅｌｅｃｔｒｏ−Ｍｅｃｈａｎｉｃａｌ  Ｓｙｓｔｅｍ）などで作製されるＤＭＤ（Ｄｉｇｉｔａｌ  Ｍｉｃｒｏｍｉｒｒｏｒ  Ｄｅｖｉｃｅ：米国テキサス・インスツルメンツ社登録商標）などの走査装置によって、走査することにより、直接、入力表示エリア２７０やディスプレイ表示エリア２８０に第１の情報や第２の情報を映し出すものである。
【００８１】
また、図７（ｂ）に示すように、筐体Ｂ（２０４）に設けられた入力決定デバイス２６０は、投射型入力表示デバイス２４０によって入力表示エリア２７０に表示された所定位置の、例えば１〜９、＊、０、＃などの仮想キーボードに、例えば指などの障害物２９０が配置されたときに、その障害物２９０を検出して仮想キーの入力を決定するものである。ここで、入力決定デバイス２６０は、例えば赤外線発光素子からの赤外線を障害物２９０に照射（図中、実線で示す）し、その反射光をフォトダイオードやフォトトランジスタなどの検出素子などで検出するものである。検出方法としては、例えば、仮想キーボードの位置による赤外線の反射光（図中、点線で示す）の強度差や時間差により検出することができる。ここでは、入力決定デバイス２６０が１つの場合を例に示したが、入力決定デバイス２６０が筐体Ｂ（２０４）内に複数であってもよい。これにより、障害物２９０の検出精度を向上させることができる。
【００８２】
さらに、入力決定デバイス２６０で検出される障害物２９０の動きが、所定時間、例えば１０秒間検出されないときには、入力表示エリア２７０やディスプレイ表示エリア２８０の表示を停止し、再度、障害物２９０の動きを検出した場合に表示を再開してもよい。これにより、電力消費を抑え、長時間の使用を可能とできる。
【００８３】
また、第２の筐体２２０の少なくとも入力表示エリア２７０やディスプレイ表示エリア２８０に、反射ビーズ入りのマットを設けてもよい。これにより、視認性を確保するとともに、他方向からの覗き見を防止し、表示情報のセキュリティ機能を向上させることができる。同様に、第２の筐体２２０のディスプレイ表示エリア２８０に、例えばフォトポリマーや偏向板などの貼り付けによりホログラム表示などの３次元的な映像を表示することもできる。
【００８４】
また、入力決定デバイス２６０は、障害物の動きにより、入力表示エリア２７０の範囲内において認識される仮想キーボードによる入力と仮想的２次元入力の２つの入力モードを有し、入力モードの切り替えにより、入力モードに応じて障害物の動きを認識して入力することもできる。
【００８５】
つまり、上記実施の形態５では、入力表示エリア２７０に表示される第１の情報を、例えばキーボードのような仮想キーボードを表示し、仮想キーボードの仮想キーの位置近傍を障害物２９０で指示することで仮想キーの入力を認識する入力モードを例に説明したが、これに限られない。すなわち、入力モードを切り替えることにより、入力表示エリア２７０に表示される第１の情報を、例えば碁盤の目のようなマトリックス状の表示とし、その入力表示エリア２７０内で動く障害物２９０の動きを仮想的２次元入力として認識し、手書きの文字データや図表データなどの入力として用いることもできる。これにより、さらに利便性を向上できるものである。
【００８６】
また、入力表示エリア２７０に表示される第１の情報やディスプレイ表示エリア２８０に表示される第２の情報が、例えば携帯情報機器に設けられたスイッチなどにより、ワイヤーフレーム表示と高精細フル画面表示を切り替えて表示してもよい。これにより、表示される画像のデータ量を、用途に応じて変換して表示できるとともに、高速に表示させたい場合や電力消費を低減したい場合などにその効果が大きいものである。
【００８７】
以上述べたように、本発明の実施の形態５によれば、従来の液晶ディスプレイなどの表示デバイスや押圧式キーボードなどの入力デバイスが必要でなくなる。そのため、繰り返しによる押圧式キーボードの破損などの生じない信頼性の高い、小型で薄型の携帯情報機器が実現できる。また、従来の液晶ディスプレイなどの表示デバイスや押圧式キーボードなどの空間に、別の付加機能を有する回路素子やデバイスを搭載できるため、大きさを変えることなく高機能化や高性能化を実現することができる。
【００８８】
また、第１の筐体２１０を、例えば筐体Ａ（２０２）と筐体Ｂ（２０４）などの複数に分割することにより、以下に示すような各種の変形が可能である。
【００８９】
図８は、本発明の実施の形態５における携帯情報機器の変形例１を説明する斜視図である。
【００９０】
実施の形態２とは、第１の筐体２１０が、独立して開閉角度を自由に設定可能な筐体Ａ（２０２）と筐体Ｂ（２０４）で構成されている点で異なるものである。
【００９１】
図８において、第１の筐体２１０の筐体Ａ（２０４）に投射型入力表示デバイス２４０を備え、筐体Ｂ（２０４）に投射型ディスプレイ表示デバイス２５０および入力決定デバイス２６０を備えている。そして、第１の筐体２１０の筐体Ａ（２０２）および筐体Ｂ（２０４）と第２の筐体２２０とをそれぞれ独立に所定の開閉角度で開けることができる。例えば、筐体Ａ（２０２）を１８０°で開け、筐体Ｂ（２０４）を１５０°に開けたときに、投射型入力表示デバイス２４０によって映し出される第１情報を表示する入力表示エリア３００と投射型ディスプレイ表示デバイス２５０によって映し出される第２の情報を表示するディスプレイ表示エリア３１０が、例えば机などに表示されるものである。
【００９２】
この構成より、入力表示エリア３００やディスプレイ表示エリア３１０の表示面積が制限されないため、例えば障害物で仮想キーボードを押す場合の押し間違いなどを未然に防止できる。さらに、ディスプレイ表示エリア３１０を大きくできるため、会議などにおける情報の共有化に優れた効果を発揮できる。
【００９３】
また、図９は、本発明の実施の形態５における携帯情報機器の変形例２を説明する斜視図である。
【００９４】
実施の形態３とは、第１の筐体２１０が筐体Ａ（２０２）と筐体Ｂ（２０４）で構成されている点で異なるものである。
【００９５】
図９において、第１の筐体２１０の筐体Ａ（２０４）に投射型入力表示デバイス２４０を備え、筐体Ｂ（２０４）に投射型ディスプレイ表示デバイス２５０および入力決定デバイス２６０を備えている。そして、例えば第１の筐体２１０の筐体Ａ（２０２）および筐体Ｂ（２０４）と第２の筐体２２０が１８０°開けられた状態において、投射型入力表示デバイス２４０によって映し出される第１情報を表示する入力表示エリア３００と投射型ディスプレイ表示デバイス２５０によって映し出される第２の情報を表示する複数の表示エリアを有するディスプレイ表示エリア３２０が、例えば机などに表示されるものである。
【００９６】
この構成より、複数のディスプレイ表示エリア３２０の一方を入力表示エリア３００で入力された情報を表示させ、別のディスプレイ表示エリア３２０に別の情報を表示させることにより、例えば編集作業などの作業効率を向上させることができる。
【００９７】
また、図１０は、本発明の実施の形態５における携帯情報機器の変形例３を説明する斜視図である。
【００９８】
図１０において、携帯情報機器は、第１の筐体２１０の筐体Ａ（２０４）に投射型入力表示デバイス２４０を備え、筐体Ｂ（２０４）に投射型ディスプレイ表示デバイス２５０および入力決定デバイス２６０を備えている。
【００９９】
そして、第１の筐体２１０の筐体Ａ（２０２）が第２の筐体２２０に対して、例えば１８０°開けられた状態において、投射型入力表示デバイス２４０によって映し出される第１情報を表示する入力表示エリア３００を有する。さらに、第１の筐体２１０の筐体Ｂ（２０４）が第２の筐体２２０に対して、例えば３６０°程度開けられた状態において、投射型ディスプレイ表示デバイス（図示せず）によって映し出される第２の情報を表示するディスプレイ表示エリア３３０が、例えば壁などに表示されるものである。なお、ディスプレイ表示エリア３３０に表示される第２の情報は、第１の筐体２１０の筐体Ｂ（２０４）が第２の筐体２２０に対して、例えば１８０°以上の開閉角度で開けられる場合には、反転させて表示することが好ましい。
【０１００】
なお、図１１に示すように、入力表示エリア３４０を第２の筐体２２０に表示させてもよい。
【０１０１】
これらの構成により、入力表示エリアとディスプレイ表示エリアを同一平面上でない異なる面に表示することが可能となる。そのため、応用範囲の広い使用ができる携帯情報機器が実現できる。
【０１０２】
また、図１２に示すように、本発明の実施の形態５における携帯情報機器の変形例３のディスプレイ表示エリア３３０を複数の表示エリアを有するディスプレイ表示エリア３５０としてもよい。
【０１０３】
この構成より、複数のディスプレイ表示エリア３５０の一方を入力表示エリア３００で入力された情報を表示させ、別のディスプレイ表示エリア３５０に別の情報を表示させることにより、例えば編集作業などの作業効率を向上させることができる。
【０１０４】
また、図８から図１２に示すように、携帯情報機器を、特に立てて使用する場合には、例えば第２筐体２２０に転倒を防止するための開閉可能な支持部材２６５を設けてもよい。これにより、安定した状態で携帯情報機器を使用することができる。なお、支持部材２６５は、図８から図１２に示すものに限らず、例えば第２筐体２２０の底部に回転可能な支持部材を設け、第２の筐体２２０と直交する方向に支持部材を回転させて、携帯情報機器の前後の動きを規制し転倒を防止する構成としてもよい。
【０１０５】
（実施の形態６）
以下に、図１３を用いて、本発明の実施の形態６の携帯情報機器について説明する。
【０１０６】
図１３は、本発明の実施の形態６における携帯情報機器を説明する斜視図である。
【０１０７】
図１３において、実施の形態６の携帯情報機器は、筐体Ａ（４０２）と筐体Ｂ（４０４）からなる第１の筐体４１０と第２の筐体４２０とがヒンジ部４３０を介して開閉可能に連結されるとともに、筐体Ａ（４０２）および筐体Ｂ（４０４）のそれぞれがヒンジ部４３０の長手方向に対して直交する方向（図中に矢印で示す）に回転可能の連結された２軸回転機構４４０を備えた構成からなる点で実施の形態５とは異なるものである。
【０１０８】
この構成により、投射型入力表示デバイス４５０によって映し出される第１情報を表示する入力表示エリア４６０と投射型ディスプレイ表示デバイス（図示せず）によって映し出される第２の情報を表示するディスプレイ表示エリア４７０を任意の方向に設定することができる。例えば、２軸回転機構４４０により、携帯情報機器の前後だけでなく、左右にも入力表示エリア４６０やディスプレイ表示エリア４７０を設定できるため、極めて汎用性の高い使用が可能な携帯情報機器を実現できる。
【０１０９】
なお、本発明の各実施の形態では、投射型入力表示デバイスや投射型ディスプレイ表示デバイスはそれぞれ１つである旨を説明したが、本発明の趣旨からは複数でもよい。複数の表示手段、入力手段があればより多くの情報を表示、入力することができる。
【０１１０】
また、本発明の各実施の形態では、投射型入力表示デバイスと投射型ディスプレイ表示デバイスを異なる構成で説明したが、例えば投射機構を時分割駆動するなどの方法により、投射型入力表示デバイスと投射型ディスプレイ表示デバイスのいずれか一方で表示させることもできる。
【０１１１】
また、本発明の各実施の形態では、投射型入力表示デバイスや投射型ディスプレイ表示デバイスを第１の筐体に備える構成で説明したが、これに限られない。例えば、投射型ディスプレイ表示デバイスを第２の筐体に設け、第１の筐体にディスプレイ表示エリアを設定してもよい。
【０１１２】
また、本発明の各実施の形態では、携帯電話機を例に説明したが、これに限らず、例えばＰＤＡ、パーソナルコンピュータなどの携帯情報機器に広く適用できるものである。
【０１１３】
また、本発明の各実施の形態では、入力表示エリアとディスプレイ表示エリアの両方を備える構成で説明したが、これに限られない。例えば、入力表示エリアが投射で表示され、液晶などの表示デバイスを備えた構成でもよく、さらに、ディスプレイ表示エリアが投射で表示され、キーボードなどの一般的な入力デバイスを備えた構成でもよい。これにより、押圧感を好むユーザーや画質にこだわるユーザーなどの各種要望を満足する適用範囲の広い携帯情報機器を実現できる。
【産業上の利用可能性】
【０１１４】
本発明の携帯情報機器は、小型化・薄型化とともに高機能化が要望される携帯情報機器に有用である。
【図面の簡単な説明】
【０１１５】
【図１】本発明の実施の形態１における携帯情報機器の一例として開閉できる折り畳み式の携帯電話機の斜視図
【図２】本発明の実施の形態１における携帯情報機器を説明する斜視図
【図３】本発明の実施の形態２における携帯情報機器を説明する斜視図
【図４】本発明の実施の形態３における携帯情報機器を説明する斜視図
【図５】本発明の実施の形態４における携帯情報機器を説明する斜視図
【図６】本発明の実施の形態５における携帯情報機器の一例として開閉できる折り畳み式の携帯電話機の斜視図
【図７】本発明の実施の形態５における携帯情報機器を説明する斜視図
【図８】本発明の実施の形態５における携帯情報機器の変形例１を説明する斜視図
【図９】本発明の実施の形態５における携帯情報機器の変形例２を説明する斜視図
【図１０】本発明の実施の形態５における携帯情報機器の変形例３を説明する斜視図
【図１１】本発明の実施の形態５における携帯情報機器の変形例３を説明する斜視図
【図１２】本発明の実施の形態５における携帯情報機器の変形例３を説明する斜視図
【図１３】本発明の実施の形態６における携帯情報機器を説明する斜視図
【図１４】従来の携帯情報機器を説明する斜視図
【符号の説明】
【０１１６】
１０，１３０，２１０，４１０    第１の筐体
２０，１４０，２２０，４２０    第２の筐体
３０，１５０，２３０，４３０    ヒンジ部
４０，２４０，４５０    投射型入力表示デバイス
５０，２５０    投射型ディスプレイ表示デバイス
６０，２６０    入力決定デバイス
６５，２６５    支持部材
７０，１００，２７０，３００，３４０，４６０    入力表示エリア
８０，１１０，１２０，２８０，３１０，３２０，３３０，３５０    ディスプレイ表示エリア
９０    障害物
１６０，４４０    ２軸回転機構
２０２，４０２    筐体Ａ
２０４，４０４    筐体Ｂ
【図１】
2006295779.tif 000003
【図２】
2006295779.tif 000004
【図３】
2006295779.tif 000005
【図４】
2006295779.tif 000006
【図５】
2006295779.tif 000007
【図６】
2006295779.tif 000008
【図７】
2006295779.tif 000009
【図８】
2006295779.tif 000010
【図９】
2006295779.tif 000011
【図１０】
2006295779.tif 000012
【図１１】
2006295779.tif 000013
【図１２】
2006295779.tif 000014
【図１３】
2006295779.tif 000015
【図１４】
2006295779.tif 000016